(57)【要約】【課題】浅底の搬器を用いる場合であっても、カードやカードケースが上下方向において干渉することを防止することが可能なカードケースを提供する。【解決手段】カードケース１は、処方箋データに基づいて払い出された薬剤Ｍを受け取るトレイ１０に取り付けられ、所定の情報が表示されるカードＣを収容するカードケース１であって、カード収容部３とトレイ取付部２とを備える。カード収容部３は、所定方向に向かって開口した開口部１８を有し、カードＣを搬器の深さ方向に対して傾けて収容する。トレイ取付部２は、カード収容部３をトレイ１０に取り付ける。【選択図】図６
2010070214.tif 000002
【特許請求の範囲】
【請求項１】
処方箋データに基づいて払い出された薬剤を受け取る搬器に取り付けられ、所定の情報が表示されるカードを収容するカードケースであって、
所定方向に向かって開口した開口部を有し、前記カードを前記搬器の深さ方向に対して傾けて収容するカード収容部と、
前記カード収容部を前記搬器に取り付ける搬器取付部と、
を備えるカードケース。
【請求項２】
前記カード収容部は、挿入された前記カードを固定するカード固定部を有する、
請求項１に記載のカードケース。
【請求項３】
前記カード固定部は、前記カード収容部の内壁面に向けて前記カードを付勢する弾性部を含む、
請求項２に記載のカードケース。
【請求項４】
前記カード収容部は、前記カードにおける所定の情報を表示する表示面を保護する表示面保護部を有する、
請求項１から３のいずれか１項に記載のカードケース。
【請求項５】
前記搬器取付部は、前記搬器の凹部および／または凸部に係り合う係合部を有する、
請求項１から４のいずれか１項に記載のカードケース。
【請求項６】
前記開口部は、開口側に向かって広がるテーパ形状を含む、
請求項１から５のいずれか１項に記載のカードケース。
【請求項７】
前記開口部は、前記搬器に取り付けられた状態において上向きに開口している、
請求項１から６のいずれか１項に記載のカードケース。
【請求項８】
前記開口部は、前記搬器に取り付けられている状態において、横向きに開口している、
請求項１から６のいずれか１項に記載のカードケース。
【請求項９】
前記カードは、リライタブルカードである、
請求項１から８のいずれか１項に記載のカードケース。
【請求項１０】
請求項１から９のいずれか１項に記載のカードケースと、
前記カードケースが固定された前記搬器と、
を備える薬剤配送器。
【発明の詳細な説明】
【技術分野】
【０００１】
本発明は、カードケースおよびこれを備える薬剤配送器に関する。
【背景技術】
【０００２】
近年、病院などでは、薬剤を取り出す場合に、患者毎の処方箋データに基づいて自動で選択して搬器（トレイ）に払い出す装置（システム）が用いられている（例えば、特許文献１）。
【０００３】
従来、この搬器には、払い出された薬剤がどの患者のものであるかなどを識別するために、患者名やＩＤなどが表示されたラベルがその搬器の側面に貼り付けられている。そして、このラベルは、患者が変わる度に手作業で剥がして新たに貼り付けられていた。このような作業は、患者数が多くなるにつれて従業者の負担が大きくなり、取り付け違い等の人為的なミスが発生するおそれがある。また、ラベルは、搬器から剥がす際に途中で破れたり、剥がした後に糊が残っていたりするため、使い勝手が悪い。また、粘着ラベルは使い捨てなので運用コストが高い。
【０００４】
そこで、上述のような粘着ラベルではなく、情報が記録された抜き差し可能なカードを収容するカード保持部材を備える搬器が開示されている（例えば、特許文献２）。
【０００５】
このカード保持部材は、搬器の側面に備えられており、横方向にカードが抜き差しできるようになっている。さらに、ここでは、情報が記録（表示）されたカードを自動でカード保持部材に抜き差しする手段を用いている。
【０００６】
このような構成により、情報が印字されたラベルを貼り付けたり剥がしたりする作業を省くことが可能になり、作業性の向上や人為的ミスを軽減することができる。
【特許文献１】特開平７−８１７３７号公報（平成７年３月２８日公開）
【特許文献２】特開２００５−２７９２６８号公報（平成１７年１０月１３日公開）
【特許文献３】特許第３７３７６９７号（平成１７年１１月４日登録）
【発明の開示】
【発明が解決しようとする課題】
【０００７】
しかしながら、上述のような構成において、カードの短手方向の長さよりも、深さ方向の長さが短い浅底の搬器を用いた場合、カードがカード保持部材から搬器の深さ方向にはみ出してしまうおそれがある。よって、例えば、搬送中におけるカードやカードケースと搬送設備、または、例えば、搬器を深さ方向に沿って上積みしたときなどにおけるカードとカードケースおよび搬器、あるいはカードケースとカードケースおよび搬器とが干渉してしまうおそれがある。
【０００８】
本発明の課題は、浅底の搬器を用いる場合であっても、カードやカードケースの上下方向における干渉を回避することが可能なカードケースを提供することにある。
【課題を解決するための手段】
【０００９】
第１の発明に係るカードケースは、処方箋データに基づいて払い出された薬剤を受け取る搬器に取り付けられ、所定の情報が表示されるカードを収容するカードケースであって、カード収容部と搬器取付部とを備える。カード収容部は、所定方向に向かって開口した開口部を有し、カードを搬器の深さ方向に対して傾けて収容する。搬器取付部は、カード収容部を搬器に取り付ける。
【００１０】
ここでは、処方箋データに基づいて払い出された薬剤を受け取る搬器に取り付けられ、所定の情報が表示されるカードを収容するカードケースにおいて、浅底の搬器であっても、上下方向（搬器の深さ方向）において干渉しないように取り付けることを可能にするために、以下のような構成を採用している。
【００１１】
当該カードケースは、所定方向にカードを抜き差しするための開口部を有し、カードを収容するカード収容部と、このカード収容部が搬器の深さ方向に対して傾いて取り付けられるように形成された搬器取付部と、を有する。
【００１２】
ここで、カードは、例えば、そのカードに表示される情報を書き込みおよび消去することが可能な、いわゆるリライタブルカード等を用いることができる。また、カード収容部は、搬器取付部からカードの上端部よりも下端部を搬器の側面に対して近づける方向に傾けて収容するように形成されたものでもよく、あるいは遠ざける方向に傾けて収容するように形成されたものでもよい。
【００１３】
このような構成により、搬器の深さ方向において、カードを収容するために必要とされるカード収容部の長さを短くすることができる。したがって、搬器の深さ方向において、カードがはみだす割合を従来よりも小さく（短く）することが可能になる。
【００１４】
この結果、浅底の搬器であっても、上下関係において、他の部材と干渉しないように取り付けることが可能になる。
【００１５】
第２の発明に係るカードケースは、第１の発明に係るカードケースであって、カード収容部がカード固定部を有する。カード固定部は、挿入されたカードを固定する。
【００１６】
ここで、カード固定部とは、例えば、所定方向にカードを付勢してカード収容部の内壁面などに押さえつけるように形成された弾性部材などであってもよい。
【００１７】
これにより、当該カードケースにカードが収容された後に搬送時の振動や衝撃などによって容易に抜け落ちることを防ぐことが可能になる。
【００１８】
この結果、薬剤師や医師や看護師が、患者名や病室番号などの搬器に必要とされる情報を他の患者のものと間違えることがなく、医療ミスの発生を軽減することが可能になる。
【００１９】
第３の発明に係るカードケースは、第２の発明に係るカードケースであって、カード固定部が、カード収容部の内壁面に向けてカードを付勢する弾性部を含む。
【００２０】
ここでは、カードを付勢する弾性部によってカードを固定する。
ここで、弾性部とは、例えば、板バネ等を用いることができる。また、弾性部は、カード収容部と一体的に形成されたものであってもよい。
【００２１】
これにより、容易にカードを抜き差しすることを可能にしつつ、カード収容部内においてカードを固定することができる。
この結果、簡易な構成によっても、カードの固定を確実にすることが可能になる。
【００２２】
第４の発明に係るカードケースは、第１から第３の発明のいずれか１つに係るカードケースであって、カード収容部が表示面保護部を有する。表示面保護部は、カードにおける所定の情報を表示する表示面を保護する。
【００２３】
ここで、表示面保護部は、例えば、カードの表示面に対向して配設される平板部であってもよいし、表示面を覆う透明なシート部材であってもよい。
【００２４】
これにより、カードの収容時にカードの表示面を保護することができる。したがって、表示面に表示されている情報に傷が付くなどして見え難くなったり消えてしまったりすることを防ぐことが可能になる。
【００２５】
この結果、カードに表示されている情報が誤認識されることを防止することができる。このため、正しい情報を維持することが可能になる。
【００２６】
第５の発明に係るカードケースは、第１から第４の発明のいずれか１つに係るカードケースであって、搬器取付部が係合部を有する。係合部は、搬器の凹部および／または凸部に係り合う。
【００２７】
ここでは、搬器に形成されている凹部あるいは凸部、または、凹部および凸部を利用して位置決めおよび固定するための係合部が設けられている。
【００２８】
ここで、搬器の凹部および凸部とは、例えば、搬器の側面部の上部に設けられている鍔部（フランジ）に形成されている凹凸などである。
【００２９】
これにより、搬器の凹凸と係合部とを位置決め部として用いることで搬器の凹凸と係合部とが係り合い、当該カードケースを搬器の所定位置に確実に取り付けることが可能になる。
【００３０】
この結果、搬器の鍔部等に取り付けられたカードケースがスライドしてしまうことを防止して所定の位置に固定することができる。
【００３１】
第６の発明に係るカードケースは、第１から第５の発明のいずれか１つに係るカードケースであって、開口部が開口側に向かって広がるテーパ形状を含む。
【００３２】
これにより、テーパ形状になっている部分がカードの挿入時にカード収容部内部へのガイドとしての役割を果たすので、容易にカードを挿入することが可能になる。したがって、カードの挿入精度を緩和することができる。
【００３３】
この結果、カードの挿入ミスを防ぎつつ、カードを挿入するための装置を簡易化することが可能になる。
【００３４】
第７の発明に係るカードケースは、第１から第６の発明のいずれか１つに係るカードケースであって、上記開口部が搬器に取り付けられた状態において上向きに開口している。
【００３５】
ここでは、当該カードケースが搬器に取り付けられている状態において、カードを抜き差しするための開口部が略鉛直方向上方に位置するように形成されている。
【００３６】
これにより、当該カードケースが搬器に取り付けられている状態において、カードを縦方向から挿入することが可能になる。
【００３７】
第８の発明に係るカードケースは、第１から第６の発明のいずれか１つに係るカードケースであって、上記開口部が搬器に取り付けられている状態において、横向きに開口している。
【００３８】
ここでは、当該カードケースが搬器に取り付けられている状態において、カードを抜き差しするための開口部が略水平方向における一方側に位置するように形成されている。
【００３９】
これにより、当該カードケースが搬器に取り付けられている状態において、カードを横方向から挿入することが可能になる。
【００４０】
第９の発明に係るカードケースは、第１から第８の発明のいずれか１つに係るカードケースであって、上記カードがリライタブルカードである。
【００４１】
ここで、リライタブルカードとは、表面側に表示されている情報を特定の方法によって書き換える（書き込みおよび消去する）ことが可能なカードである。
【００４２】
これにより、カードは、表示機能を確保しつつ、繰り返し使用することが可能になる。したがって、コストを削減することができる。
【００４３】
第１０の発明に係るカードケースは、第１から第９の発明のいずれか１つに係るカードケースを備える薬剤配送器であって、カードケースが固定された搬器を備えている。
【００４４】
ここで、上記搬器とカードケースとは、別々の部材であってもよいし、樹脂成形等の際に一体成形されたものであってもよい。
【００４５】
これにより、上下方向（深さ方向）に重ねて積み上げるなどしたときの上下関係において互いに干渉しない薬剤搬送器を提供することが可能になる。
【発明の効果】
【００４６】
本発明によると、浅底の搬器に用いた場合であっても、上下関係において干渉しないように取り付けることが可能になる。
【発明を実施するための最良の形態】
【００４７】
本発明の一実施形態に係るカードケース１およびこれを備える薬剤配送器２０について、図１〜図７を用いて説明すれば以下の通りである。なお、本実施形態のカードケース１および薬剤配送器２０は、薬剤自動払出システム５０に用いられるものである。
【００４８】
［薬剤自動払出システム５０］
まず、薬剤自動払出システム５０の概要について説明する。薬剤自動払出システム５０は、患者毎の処方箋データに基づいて、所望の薬剤Ｍを自動で薬剤配送器２０に払い出すものであって、図１に示すように、主に、システム管理ユニット５１と、薬剤自動払出装置５２と、これらを結ぶＬＡＮと、を備えている。
【００４９】
システム管理ユニット５１は、患者毎の処方箋データを電子データとして記憶および管理し、薬剤自動払出装置５２にＬＡＮを介して種々の指示信号を出力する。
【００５０】
薬剤自動払出装置５２は、システム管理ユニット５１から出力された指示信号に基づいて、自動で薬剤Ｍを払い出す装置であって、トレイ供給ユニット５３、薬剤払出ユニット５４、カード挿入ユニット５５、完了トレイユニット５６、および搬送路５７を有している。
【００５１】
トレイ供給ユニットは、複数の薬剤配送器２０を収容し、この収容されている薬剤配送器２０を１つずつ薬剤払出ユニット５４に供給する。
【００５２】
薬剤払出ユニット５４は、システム管理ユニット５１から出力された指示信号に基づいて選択された種々の薬剤Ｍを薬剤配送器２０に払い出す。
【００５３】
カード挿入ユニット５５は、薬剤配送器２０に備えられたカードケース１に所定の情報が記録（表示）されたカードＣを抜き差しする。このカード挿入ユニット５５については、後段にて詳述する。
【００５４】
ここで、本実施形態におけるカードＣは、図２に示すように、縦（短辺）の長さがおよそ５．４ｃｍ、横（長辺）の長さがおよそ８．５ｃｍの大きさであり、市販のテレホンカードなどとほぼ同じ規格の大きさである。また、カードＣは、所定の温度を加えると表面に表示される記録データを書いたり消したりすることができる、いわゆるリライタブルカードである。また、所定の情報とは、例えば、患者の名前や性別、病棟・病室、日付、ＩＤ、トレイ枚数などに関する情報である。
【００５５】
完了トレイユニット５６は、払い出された種々の薬剤ＭやカードＣなどを収容した薬剤配送器２０を受け取り、鉛直方向に沿った段積み状態で保持する。
【００５６】
薬剤配送器２０は、図３に示すように、カードケース１とトレイ（搬器）１０とを備えている。以下でトレイ１０とカードケース１とを詳述する。
【００５７】
搬送路５７は、薬剤自動払出装置５２の上流側から下流側へ、すなわちトレイ供給ユニット５３から完了トレイユニット５６へ、薬剤配送器２０を搬送するものであって、システム管理ユニット５１によって薬剤配送器２０を所望の位置に搬送するように動作する。搬送路５７は、搬送ローラやベルトを有する、いわゆるコンベアである。
【００５８】
［トレイ１０の構成］
トレイ１０は、種々の薬剤Ｍを薬剤払出ユニット５４から受け取って搬送する深さ方向長さがおよそ５．５〜５．６ｃｍの浅底タイプの搬器であって、ＡＢＳ等のプラスチックを材料とする一体成形部材である。具体的には、図３および図４に示すように、略直方体形状であって上面側が開口しており、底部１１と、側壁部１２と、鍔部１３と、を備えている。
【００５９】
底部１１は、上面視において矩形形状の板状部材であって、このトレイ１０の底部分に位置している。側壁部１２は、底部１１の４辺から上方に向けて形成されており、互いに対向する一対の長壁部１２ａ，１２ｂと、互いに対向する一対の短壁部１２ｃ，１２ｄと、を有する。長壁部１２ａ，１２ｂは、底部１１の対向する１組の長辺に連接している。短壁部１２ｃ，１２ｄは、底部１１の対向する１組の短辺に連接している。また、側壁部１２は、このトレイ１０の上方の開口面積が底部１１の平面の面積よりも大きくなるように、底部１１から上端部分に近づくにつれて外方向に向けて傾いて設けられている。
【００６０】
鍔部１３は、ユーザが手（指）で把持したり、薬剤自動払出システム５０が搬送時に引っ掛けたり、あるいは、トレイ１０の強度を増すためのものであって、側壁部１２の上端部分からトレイ１０の外側に向けて略水平方向に延設されている。具体的には、鍔部１３は、図４に示すように、底部１１と略平行に設けられた縁形状のものであって、隆起部１４とトレイ受け部１５と凸部１７（図４における側面視図では、図示していない）とを含んでいる。隆起部１４は、鍔部１３にかかる力に対する強度を増すために設けられており、鍔部１３の外側の端部から上方に隆起している。トレイ受け部１５は、トレイ１０を段積みにしたときに、上方に重ねられるトレイ１０を安定に積む役割を果たし、上方に積まれるトレイ１０の底部１１の４角と嵌まり合うように形成されている。凸部１７は、本実施形態においては、鍔部１３における短壁部１２ｃ，１２ｄから延設された領域における上面側の中央部分に位置しており、鍔部１３の上面側から上方にむけて凸形状をなしている。なお、本実施形態における凸部１７は、トレイ１０の内部を仕切る内部仕切材（図示せず）を挿入するためのマークや、トレイ１０の名称やロゴマークを表す形状であってもよい（ただし、図４における上面視図では、模式的に示している）。
【００６１】
［カードケース１の構成］
カードケース１は、トレイ１０の鍔部１３に取り付けることができ、かつカードＣをその内部に収容するためのものであって、ＡＢＳやポリイミド樹脂の射出成形によって形成された一体成形部品である。具体的には、カードケース１は、図５に示すように、主に、トレイ取付部（搬器取付部）２とカード収容部３とを備えている。
【００６２】
トレイ取付部２は、トレイ１０にカードケース１を取り付けるためのものあって、トレイ１０の鍔部１３に取り付けられるように形成されている。具体的には、トレイ１０の鍔部１３を上下方向から挟むように形成された２つの平板部２ａ，２ｂと、この２つの平板部２ａ，２ｂを連結しトレイ１０に取り付けたときにトレイ１０の鍔部１３の外側の側面１６（図４参照）と当接する当接部４と、を含む。平板部２ａと平板部２ｂとは、略平行に対向して設けられており、平板部２ａが上方に位置し、平板部２ｂが下側に位置する。
【００６３】
また、平板部２ａは、トレイ１０の鍔部１３の先端部分に係り合う係合部５を有している。この係合部５は、平板部２ａの平面上から平板部２ｂ方向に向けて隆起するように形成されている。そして、係合部５における上記当接部４側の一方の端部は、図５に示すように、カードケース１の側面視において、平板部２ａに対して略直角になるように形成された面を有し、他方の端部は、当接部４から遠ざかるに連れて平板部２ｂとの距離が長くなるように傾斜しているテーパ形状面１９ｂを有する。またさらに、係合部５は、図５に示すように、鍔部１３の凸部１７に係合するように、平板部２ａの両端部分に１つずつ設けられている。つまり、凸形状である２つの係合部５，５によって、その間に凹部形状が形成されることになり、この凹部形状に鍔部１３の凸部１７が係合する。
【００６４】
また、平板部２ａと平板部２ｂとは、樹脂によって形成されているため、若干の弾性力を有する。このため、平板部２ａと平板部２ｂとは、カードケース１がトレイ１０に装着される際に互いが遠ざかるように弾性変形して係合部５と隆起部１４とが係り合う状態になるまで差し込まれる。そして、トレイ取付部２がトレイ１０に取り付けられた状態では、この２つの平板部２ａ，２ｂがトレイ１０の鍔部１３を挟み込むように付勢している。
【００６５】
カード収容部３は、カードＣを内部に収容するものであって、図６に示すように、その収容時にカードＣがトレイ１０の深さ方向に対して傾いて収容されるように形成されている。具体的には、カードＣの収容時において、カードＣの裏面側に対向する裏面板部６と、カードＣの表面に対向する表面板部７と、この表面板部７と裏面板部６とを連結する側面部８と、を有している。
【００６６】
裏面板部６は、カードＣの裏面側を支持するためのものであって、当接部４の平板部２ｂが形成されている側から配設された平板部材である。具体的には、裏面板部６は、カードＣをトレイ１０の深さ方向に対して傾けて収容するために、本実施形態では当接部４の当接面４ａに対して傾いて形成されている。
【００６７】
表面板部７は、カードＣの表面を支持するためのものであって、本実施形態においては、表面支持部７ａ，７ｂと、板バネ部（カード固定部）９と、を含む。表面支持部７ａ，７ｂは、裏面板部６に平行に対向して配設されるＬ字形状の略板状部材である（図５参照）。つまり、表面支持部７ａ，７ｂは、カードＣの端部領域のみを支持するように形成されている。これは、カードＣの挿入時などにおいて、表面支持部７ａ，７ｂがカードＣの中央領域を擦るなどして、カードＣの情報の表示領域を傷つけないようにするためである。
【００６８】
また、表面支持部７ａ，７ｂと裏面板部６との間には、カードＣが挿入されるために十分な隙間が設けられていればよい。具体的にはおよそ２ｍｍ〜３ｍｍ程度である。また、表面支持部７ａ，７ｂは、この表面支持部７ａ，７ｂの一端部と側面部８の一部分とによって形成されるカードＣの挿入口としての開口部１８を形成している。そして、表面支持部７ａ，７ｂには、カードＣを挿入しやすくするために、開口部１８に近づくに連れて裏面板部６との隙間が大きくなるように形成されたテーパ形状部１９が形成されている。つまり、このテーパ形状部１９は、開口側に向かって広がるように形成されている。
【００６９】
板バネ部９は、カードＣを収容した状態でカードＣを裏面板部６に押し付けて固定するためのものであって、表面支持部７ａ，７ｂから裏面板部６に向けて付勢力を有する凸形状の板バネである。
【００７０】
側面部８は、上述のように、表面支持部７ａ，７ｂと裏面板部６とを連結すると同時に、カードＣの挿入時にカードＣの挿入方向を規制するガイドとしての役割を担う。したがって、カードＣを挿入しやすくするために、側面部８は、上記開口部１８の開口側に向かって広がるように形成されたテーパ形状部１９ａが設けられている。
【００７１】
［カード挿入ユニット５５］
カード挿入ユニット５５は、主に、ハンドリング機構１２０と、リライト機構（図示せず）と、を備えている。
【００７２】
ハンドリング機構１２０は、図７に示すように、アーム１２１と、一対のカード把持部１２２ａ，１２２ｂと、一対の支持部１２３ａ，１２３ｂと、一対のガイド部１２４ａ，１２４ｂと、垂直回転軸１２５と、を備えている。
【００７３】
垂直回転軸１２５は、装置設置面に対し略垂直方向に沿った回転軸を有し、回動自在に固定されている。垂直回転軸１２５は、薬剤配送器２０に対しカード把持部１２２ａ，１２２ｂがそれぞれ交互に近接するように１８０度ずつ回転する。
【００７４】
アーム１２１は、垂直回転軸１２５によって中心が支持されており、両端部分にガイド部１２４ａ，１２４ｂを有している。
【００７５】
ガイド部１２４ａ，１２４ｂは、アーム１２１の両端に固定されており、垂直回転軸１２５の軸方向に対して傾いて設けられているガイド面１２４ｃ，１２４ｄをそれぞれ有している。具体的には、このガイド面１２４ｃ，１２４ｄは、このガイド面１２４ｃ，１２４ｄの面方向と薬剤搬送器２０に備えられているカードケース１に収容されているカードＣの面方向とが略平行になるように形成されている。
【００７６】
支持部１２３ａ，１２３ｂは、ガイド部１２４ａ，１２４ｂのガイド面１２４ｃ，１２４ｄ上にそれぞれ設けられており、かつ、ガイド面１２４ｃ，１２４ｄに沿ってスライド可能に設けられている。このスライド方向は、カードケース１に収容されているカードＣを抜き差しする方向である。
【００７７】
カード把持部１２２ａ，１２２ｂは、薬剤配送器２０（カードケース１）に収容されているカードＣを把持するためのものであって、支持部１２３ａ，１２３ｂにそれぞれ固定されている。
【００７８】
リライト機構は、システム管理ユニット５１からの指示信号に応じて、カードＣの表示面に患者の識別情報などの前記所定の情報を書き込む。
【００７９】
＜カード挿入ユニット５５によるカードＣの抜き差し動作＞
本実施形態で説明した薬剤配送器２０を用いた場合のカード挿入ユニット５５によるカードＣの抜き差し動作を以下で説明する。
【００８０】
カード挿入ユニット５５では、カード把持部１２２ａが薬剤配送器２０のカードケース１に収容されているカードＣ１を把持する。次に、カード把持部１２２ａが上方向にスライドしてカードＣ１をカードケース１から抜き出す。次に、垂直回転軸１２５が水平面内で１８０度回転する。そして、カード把持部１２２ａに把持されているカードＣ１は、リライト機構に挿入されて情報が書き換えられる。
【００８１】
一方、カード把持部１２２ａによって抜かれたカードＣ１が次に搬送されてくる薬剤配送器２０に対応する患者の識別情報などの所定の情報にリライト機構によって書き換えられている間には、既に情報が書き換えられているカードＣ２が、カード把持部１２２ｂによってカードケース１に挿入される。つまり、カードＣ１は、次に搬送されてきた薬剤配送器２０のカードケース１に収容されることになる。
【００８２】
これにより、リライト機構によってカードＣの情報が書き換えられる時間を待たずにカードＣの抜き差しを行うことができる。この結果、カードＣの入れ替え時間を短縮することが可能になる。したがって、薬剤自動払出装置５２の時間的効率を高めることが可能になる。
【００８３】
［カードケース１の特徴］
（１）
本実施形態のカードケース１は、図１から図７に示すように、処方箋データに基づいて払い出された薬剤Ｍを受け取るトレイ１０に取り付けられ、患者名などの前記所定の情報が表示されるカードＣを収容するものであって、カード収容部３とトレイ取付部２とを備える。カード収容部３は、カード挿入ユニット５５からカードＣが挿入される方向に向かって開口した開口部１８を有し、カードＣをトレイ１０の深さ方向に対しておよそ１５度傾けて収容する。トレイ取付部２は、カード収容部３をトレイ１０に取り付ける。
【００８４】
このような構成により、カードＣを収容するために必要とされるカード収容部３の深さ方向長さを短くすることができる。したがって、トレイ１０の深さ方向において、カードＣがはみだす割合を従来よりも小さく（短く）することが可能になる。
【００８５】
この結果、カードＣやカードケース１が搬送路５７に接触することなく搬器を搬送することができる。したがって、薬剤配送器２０の搬送に不具合が生じることを防止することが可能になる。
【００８６】
またさらに、図８に示すように、薬剤配送器２０を上下方向に段積みした場合では、上に積んだ薬剤配送器２０のカードケース１の下端部分と、下に置かれた薬剤配送器２０のカードケース１に収容されたカードＣの上端部分と、を上下方向においてずれた状態で重ねることができる。
【００８７】
この結果、浅底のトレイ１０であっても、このトレイ１０を上下方向（深さ方向）に重ねて積み上げるなどしたときの上下関係において、カードＣとカードケース１およびトレイ１０、またはカードケース１とカードケース１およびトレイ１０とが互いに干渉しないように取り付けることが可能になる。
【００８８】
（２）
本実施形態のカードケース１は、図５および図６に示すように、カード収容部３に板バネ部９を有する。板バネ部９は、挿入されたカードＣを裏面板部６に対して付勢して固定する。
【００８９】
これにより、カードケース１にカードＣが収容された後に搬送時の振動や衝撃などによって容易に抜け落ちることを防ぐことが可能になる。
【００９０】
この結果、医師や看護師が、患者名や病室番号などのトレイ１０に必要とされる情報を他の患者のものと間違えることがなく、医療ミスの発生を軽減することが可能になる。
【００９１】
（３）
本実施形態のカードケースは、図５に示すように、トレイ取付部２が係合部５を有する。係合部５は、トレイ１０の凸部１７に係り合う。
【００９２】
これにより、トレイ１０の凸部１７と係合部５とを位置決め部として用いることでトレイ１０の凸部１７と係合部５とが係り合い、カードケース１をトレイの所定位置に確実に取り付けることが可能になる。つまり、トレイ１０に対しカードケース１が位置決めされる。
【００９３】
この結果、トレイの鍔部１３等に取り付けられたカードケース１がスライドしてしまうことを防止して所定の位置に固定することができる。
【００９４】
（４）
本実施形態のカードケース１は、図５に示すように、開口部１８が開口側に向かって広がるテーパ形状を含む。
【００９５】
これにより、テーパ形状になっている部分がカードＣの挿入時にカード収容部３内部へのガイドとしての役割を果たすので、容易にカードＣを挿入することが可能になる。したがって、カードＣの挿入精度を緩和することができる。
【００９６】
この結果、カードＣの挿入ミスを防ぎつつ、カードＣを挿入するためのカード挿入ユニット５５を簡易化することが可能になる。
【００９７】
（５）
本実施形態のカードケース１は、図５に示すように、トレイ１０に取り付けられた状態において開口部１８が上向きに開口している。
【００９８】
ここでは、カードケース１がトレイに取り付けられている状態において、カードＣを抜き差しするための開口部１８が上方に位置するように形成されている。
【００９９】
これにより、カードケース１がトレイ１０に取り付けられている状態において、カード
Ｃを縦方向から挿入することが可能になる。
【０１００】
（６）
本実施形態のカードケース１に収容されるカードＣは、リライタブルカードである。
【０１０１】
これにより、カード挿入ユニット５５では、カードＣの情報を書き換える際に、リライト機構のような従来機器を用いることができる。また、容易に繰り返し使用可能であるため、従来のラベルに比べてコストを削減することができる。
【０１０２】
（７）
本実施形態のカードケース１は、図５に示すように、下端部分が薬剤配送器２０の内側に近づくように傾いており、カードＣの上方部分が薬剤配送器２０の外側に向かってはみ出して収容されるように形成されている。
【０１０３】
これにより、ハンドリング機構１２０によって抜き差しされやすい方向にカードＣを傾けて収容することができる。また、カード挿入ユニット５５のカード把持部１２２ａ，１２２ｂが、カードＣのカードケース１からはみ出している部分を容易に掴むことができる。この結果、カード挿入ユニット５５の構成を簡易にすることが可能になる。
【０１０４】
（８）
本実施形態の薬剤配送器２０は、図３に示すように、カードケース１とこのカードケース１が取り付けられるトレイ１０とを備えている。
【０１０５】
これにより、図８に示すように、上下方向（深さ方向）に重ねて積み上げた場合に、上方に積まれた薬剤配送器２０のカードケース１と、下方に積まれた薬剤配送器２０のカードケース１に収容されているカードＣと、が互いに干渉しないように積み上げることができる。したがって、薬剤配送器２０を効率的に収容することが可能になる。
【０１０６】
［他の実施形態］
以上、本発明の一実施形態について説明したが、本発明は上記実施形態に限定されるものではなく、発明の要旨を逸脱しない範囲で種々の変更が可能である。
【０１０７】
（Ａ）
上記実施形態では、当接部４の当接面４ａに対し裏面板部６が傾いている例を挙げて説明した。しかし、本発明はこれに限定されるものではない。
【０１０８】
例えば、裏面板部２６は、図９に示すように、トレイ２１の鍔部２３の形状によっては、当接部２４の当接面２４ａと平行になっていてもよい。つまり、カードＣの挿入方向がトレイ２１の深さ方向に対して傾いていればよい。すなわち、トレイの形状に合わせて、トレイ取付部とカード収容部との角度が、トレイの深さ方向に対して傾くように適応された形状であればよい。
【０１０９】
このような構成によってもカード収容部の深さ方向長さを短くすることができるため、上記実施形態と同様の効果を得ることができる。
【０１１０】
（Ｂ）
上記実施形態では、カードケース１が透明な樹脂によって形成されている例を挙げて説明した。しかし、本発明はこれに限定されるものではない。
【０１１１】
例えば、カードケースは、半透明であってもよく、また、透明ではないプラスチックなどを用いてもよい。
これによっても、上記実施形態と同様の効果を奏することが可能になる。
【０１１２】
（Ｃ）
上記実施形態では、カードＣが縦方向上側から挿入される例を挙げて説明した。しかし、本発明はこれに限定されるものではない。
【０１１３】
例えば、カードＣが横方向から挿入されるものであってもよい。具体的には、図１０に示すように、カードＣを挿入するための開口部３８がカードケース３１の側面視において横方向に向けて開口している。また、カードＣを挿入しやすいように、開口側に向かって広がるように形成されたテーパ形状部３９が設けられている。
【０１１４】
これにより、上記実施形態と同様の効果を奏しつつ、横方向からカードＣを挿入する挿入装置を備える薬剤自動払出システムに対応したカードケースを提供することが可能になる。
【０１１５】
（Ｄ）
上記実施形態では、カードケース１の表面支持部７ａ，７ｂが、２つのＬ字形状の部材であって、カードＣの端部領域のみを支持するものである例を挙げて説明した。しかし、本発明はこれに限定されるものではない。
【０１１６】
例えば、カードケース４１の表面支持部（表示面保護部）４７が、図１１に示すように、透明な１枚の平板であってもよい。つまり、表面支持部４７は、側面部４８ａから側面部４８ｂまでつながっている。また、透明なシート材（表示面保護部）が側面部４８ａから側面部４８ｂの間に亘って設けられてもよい。
【０１１７】
これにより、カードＣの収容時において、カードＣの記録面（表示面）を保護することができる。したがって、カードＣに記録された情報を保護することが可能になる。この結果、情報の読み間違いなどの人為的なミスを軽減することができる。
【０１１８】
（Ｅ）
上記実施形態では、トレイ１０とカードケース１とが、別々の部材である例を挙げて説明した。しかし、本発明はこれに限定されるものではない。
【０１１９】
例えば、トレイ（搬器）とカードケースとは、一体的に成形されたものであってもよい。
このような構成によっても、上記実施形態と同様の効果を奏することが可能になる。
【０１２０】
（Ｆ）
上記実施形態では、カードケース１は、カードケース１の下方側が上方側よりもトレイ１０の内側に近くなるように形成されている例を挙げて説明した。しかし、本発明はこれに限定されるものではない。
【０１２１】
例えば、図１２に示すように、カードケース６１は、このカードケース１の下方側が上方側よりもトレイ１０の内側から離れるように形成されるものであってもよい。
【０１２２】
これによっても、トレイ１０を段積みした場合に、カードＣとカードケース６１およびトレイ１０、またはカードケース６１とカードケース１およびトレイ１０とが干渉しないように取り付けることが可能になる。また、カードＣの表面側が斜め上方に向くため、ユーザによる情報の視認を容易にすることができる。
【０１２３】
（Ｇ）
上記実施形態では、カードＣはリライタブルカードである例を挙げて説明した。しかし、本発明はこれに限定されるものではない。
【０１２４】
例えば、紙やプラスチック製のカードに印字された書き換え不能なカードを用いてもよい。
【０１２５】
（Ｈ）
上記実施形態では、カードＣをカードケース内に固定するものとして板バネ部９を用いる例を挙げて説明した。しかし、本発明はこれに限定されるものではない。
【０１２６】
例えば、カードケースは、収容したカードを把持して固定するために、所定のセンサなどによって開閉するチャック機構を備えるものであってもよい。
【０１２７】
このような構成によっても、カードケースにカードが収容された後に搬送時の振動や衝撃などによって容易に抜け落ちることを防ぐことが可能になるため、上記実施形態と同様の効果を奏することが可能になる。
【０１２８】
（Ｉ）
上記実施形態では、カードケース１の２つの係合部５，５によって形成される凹部が、トレイ１０の凸部１７に係り合う例を挙げて説明した。しかし、本発明はこれに限定されるものではない。
【０１２９】
例えば、カードケースの搬器取付部は、搬器の凹部に係り合うように形成されるものであってもよい。また、カードケースの搬器取付部は、搬器の凹部および凸部の両方に係り合うように形成されるものであってもよい。なお、上記凹部とは、例えば、貫通孔のような孔形状を含む。
【産業上の利用可能性】
【０１３０】
本発明のカードケースは、浅底の搬器に取り付けられる場合であっても、上下方向において干渉しないようにすることができるという効果を奏することから、複数の搬器を段積み状態にして配送する装置などに対して広く適用可能である。
【図面の簡単な説明】
【０１３１】
【図１】本発明の一実施形態に係る薬剤自動払出システムを示す概略図。
【図２】本発明のカードケースに収容されるカードを示す概略図。
【図３】図１に示す薬剤自動払出システムに用いられる薬剤配送器を示す斜視図。
【図４】図３に示す薬剤配送器のトレイを示す上面視図および側面視図。
【図５】図３に示す薬剤配送器のカードケースを示す上面視図、正面視図およびＡ−Ａ断面側面視図。
【図６】図５に示すカードケースにカードを収容した状態を示す側面視図。
【図７】図１に示す薬剤自動払出システムのハンドリング機構を示す側面視図。
【図８】図３に示す薬剤配送器にカードを収容して段積みした状態を示す断面図。
【図９】本発明の他の実施形態に係る薬剤配送器を示す側面視図。
【図１０】本発明の他の実施形態に係るカードケースを示す側面視図。
【図１１】本発明の他の実施形態に係るカードケースを示す側面視図。
【図１２】本発明の他の実施形態に係る薬剤配送器を示す側面視図。
【符号の説明】
【０１３２】
１      カードケース
２      トレイ取付部（搬器取付部）
２ａ    平板部
２ｂ    平板部
３      カード収容部
４      当接部
４ａ    当接面
５      係合部
６      裏面板部
７      表面板部
７ａ    表面支持部
７ｂ    表面支持部
８      側面部
９      板バネ部（カード固定部）
１０    トレイ（搬器）
１１    底部
１２    側壁部
１２ａ  長壁部
１２ｂ  長壁部
１２ｃ  短壁部
１２ｄ  短壁部
１３    鍔部
１４    隆起部
１５    トレイ受け部
１６    側面
１７    凸部
１８    開口部
１９    テーパ形状部
１９ａ  テーパ形状部
１９ｂ  テーパ形状面
２０    薬剤配送器
２１    トレイ
２３    鍔部
２４    当接部
２４ａ  当接面
２６    裏面板部
３１    カードケース
３８    開口部
３９    テーパ形状部
４１    カードケース
４７    表面支持部（表面保護部）
４８ａ  側面部
４８ｂ  側面部
５０    薬剤自動払出システム
５１    システム管理ユニット
５２    薬剤自動払出装置
５３    トレイ供給ユニット
５４    薬剤払出ユニット
５５    カード挿入ユニット
５６    完了トレイユニット
５７    搬送路
６１    カードケース
１２０  ハンドリング機構
１２１  アーム
１２２ａ  カード把持部
１２２ｂ  カード把持部
１２３ａ  支持部
１２３ｂ  支持部
１２４ａ  ガイド部
１２４ｂ  ガイド部
１２４ｃ  ガイド面
１２４ｄ  ガイド面
１２５  垂直回転軸
Ｃ      カード
Ｃ１    カード
Ｃ２    カード
Ｍ      薬剤
【図１】
2010070214.tif 000003
【図２】
2010070214.tif 000004
【図３】
2010070214.tif 000005
【図４】
2010070214.tif 000006
【図５】
2010070214.tif 000007
【図６】
2010070214.tif 000008
【図７】
2010070214.tif 000009
【図８】
2010070214.tif 000010
【図９】
2010070214.tif 000011
【図１０】
2010070214.tif 000012
【図１１】
2010070214.tif 000013
【図１２】
2010070214.tif 000014